(57)【要約】【課題】文字板を確実に固定でき、かつデザイン的にも優れた時計を提供すること。【解決手段】時計１は、各指針２２Ａ、２２Ｂ、２２Ｃが取り付けられる四番車４２、二番車４１、筒車４０を有したムーブメント３０と、ムーブメント３０に対向配置された文字板２０とを備える。文字板２０には、筒車４０が挿通される中心孔２１が設けられ、さらに、文字板２０は、中心孔２１によりムーブメント３０に固定されている。文字板２０に設けられる中心孔２１がムーブメント３０に対して固定されていることから、文字板２０の外周縁やケースには、固定用の大きな係合部および被係合部を設ける必要がなく、それらを隠すためのケースのかぶさり部分を小さくでき、デザイン性を向上させることができる。【選択図】図１
2010243319.tif 000002
【特許請求の範囲】
【請求項１】
指針が取り付けられる回転軸を有したムーブメントと、
前記ムーブメントに対向配置された文字板とを備え、
前記文字板には、前記回転軸が挿通される挿通孔が設けられ、
前記文字板は、前記挿通孔により前記ムーブメントに固定されている
ことを特徴とする時計。
【請求項２】
請求項１に記載の時計において、
前記文字板および前記ムーブメントの一方には、他方に向けて筒状部が突設され、
前記筒状部が他方に嵌合している
ことを特徴とする時計。
【請求項３】
請求項１に記載の時計において、
前記ムーブメントには、前記文字板の挿通孔に対応した開口部が設けられ、
前記挿通孔および前記開口部にわたって挿入される筒状部材が設けられ、
前記筒状部材を介して前記文字板が前記ムーブメントに固定されている
ことを特徴とする時計。
【請求項４】
請求項１から請求項３のいずれかに記載の時計において、
少なくとも前記文字板および前記ムーブメントには、互いの位置決めを行う位置決め部が設けられている
ことを特徴とする時計。
【請求項５】
請求項１から請求項４のいずれかに記載の時計において、
前記文字板は、締め代をもって前記ムーブメントに固定されている
ことを特徴とする時計。
【発明の詳細な説明】
【技術分野】
【０００１】
本発明は、時計に係り、文字板とムーブメントとの固定構造の改良に関する。
【背景技術】
【０００２】
従来、太陽電池やＥＬなどの発光手段を有する時計において、文字板をムーブメントに体裁よく固定するための固定構造が提案されている（例えば特許文献１）。
この特許文献１に記載の固定構造は、文字板とムーブメントとの間に設けられた受発光手段をムーブメントの一側に固定し、文字板の外周縁に形成された係合部と、ケースに形成された被係合部とを係合させることによって文字板を固定している。
【先行技術文献】
【特許文献】
【０００３】
【特許文献１】国際公開第００／０３３１０号パンフレット
【発明の概要】
【発明が解決しようとする課題】
【０００４】
しかしながら、特許文献１に記載の文字板の固定構造では、固定のための係合部および被係合部を文字板の外周縁やケースに設けていることから、そのような係合部および被係合部を隠すためにケースに設けられた見切部のかぶさり部分が大きくなり、デザイン的に優れないという問題があった。
【０００５】
本発明の目的は、文字板を確実に固定でき、かつデザイン的にも優れた時計を提供することにある。
【課題を解決するための手段】
【０００６】
本発明の時計は、指針が取り付けられる回転軸を有したムーブメントと、前記ムーブメントに対向配置された文字板とを備え、前記文字板には、前記回転軸が挿通される挿通孔が設けられ、前記文字板は、前記挿通孔により前記ムーブメントに固定されていることを特徴とする。
ここで、「文字板」とは、通常の時計のように時刻表示の目盛が付されているものに限定されない。例えば、ソーラー発電を利用した時計のように、ガラス板と太陽電池パネルとから構成されているものも文字板に含まれる。
【０００７】
この発明によれば、文字板の表示部分に設けられる挿通孔がムーブメントに対して固定されていることから、文字板の外周縁やケースには、固定用の大きな係合部および被係合部を設ける必要がなく、それらを隠すためのケースのかぶさり部分を小さくでき、デザイン性を向上させることができる。
【０００８】
本発明の時計において、前記文字板および前記ムーブメントの一方には、他方に向けて筒状部が突設され、前記筒状部が他方に嵌合していることが好ましい。
この発明によれば、文字板およびムーブメントのいずれか一方に他方に向けた筒状部が突設され、この筒状部に他方が嵌合されることから、嵌合時には筒状部で他方の部材をガイドでき、組み込みが容易に行える。
【０００９】
本発明の時計において、前記ムーブメントには、前記文字板の挿通孔に対応した開口部が設けられ、前記挿通孔および前記開口部にわたって挿入される筒状部材が設けられ、前記筒状部材を介して前記文字板が前記ムーブメントに固定されていることが好ましい。
この発明によれば、筒状部材は文字板やムーブメントとは別部材となるから、これらを別々の材質で形成することができ、様々な材質を組み合わせることができる。このため、例えば、文字板をガラス板等の脆性材料で形成し、筒状部材を金属で形成することにより、文字板上の表示部分に金属を露出させることができ装飾性を向上できる。
【００１０】
本発明の時計において、少なくとも前記文字板および前記ムーブメントには、互いの位置決めを行う位置決め部が設けられていることが好ましい。
この発明によれば、文字板およびムーブメントには互いに位置決めを行う位置決め部が設けられていることから、位置決め部同士を係合させることで互いの位置決めを行うことができ、文字板の周方向への位置ずれを良好に防止できる。
【００１１】
本発明の時計において、前記文字板は、締め代をもって前記ムーブメントに固定されていることが好ましい。
この発明によれば、文字板がムーブメントに対して締め代を持って固定されていることから、文字板をムーブメントに簡単な構造で確実に固定できる。
【図面の簡単な説明】
【００１２】
【図１】本発明の第一実施形態に係る時計の要部を示す断面図。
【図２】（Ａ）は第一実施形態の挿通孔としての中心孔を示す平面図。（Ｂ）は、第一実施形態の筒状部のII−II矢印断面図。
【図３】中心孔および筒状部の第一変形例を示す平面図。
【図４】中心孔および筒状部の第二変形例を示す平面図。
【図５】中心孔および筒状部の第三変形例を示す平面図。
【図６】中心孔および筒状部の第四変形例を示す平面図。
【図７】中心孔および筒状部の第五変形例を示す平面図。
【図８】中心孔の第六変形例を示す平面図。
【図９】中心孔の第七変形例を示す平面図。
【図１０】本発明の第二実施形態に係る時計の要部を示す断面図。
【図１１】本発明の第三実施形態に係る時計の要部を示す断面図。
【発明を実施するための形態】
【００１３】
〔第一実施形態〕
図１は、本発明の第一実施形態に係る時計１の要部を示す断面図である。
図１において、時計１は例えば太陽発電により得られた電気エネルギーで運針を行うアナログ式電子時計であり、図示しないケースと、ケース内に収容されるムーブメント３０と、ムーブメント３０に取り付けられる文字板２０と、ケースの図中上側の開口部分に取り付けられる風防ガラス１１と、ケースの図中下側の開口部分にとり付けられる裏蓋１２とを備えている。
【００１４】
文字板２０は、透明のガラス板２０Ａと、太陽電池パネル２０Ｂとを備えて構成され、ムーブメント３０および風防ガラス１１の間に配置される。このうち、太陽電池パネル２０Ｂは、ガラス板２０Ａを透過した太陽光などによって発電するように構成されている。
【００１５】
ムーブメント３０は、詳細な図は省略するが、太陽電池パネル２０Ｂで発電された電気エネルギーによって駆動される制御回路、制御回路からのパルス信号で駆動されるステッピングモーター、ステッピングモーターの駆動力が伝達される駆動輪列、駆動輪列に取り付けられた秒針２２Ａ、分針２２Ｂ、時針２２Ｃ等を備えるとともに、文字板２０と近接する地板３１を含んで構成されている。
【００１６】
本実施形態の地板３１は合成樹脂製であり、地板３１の中央位置には、文字板２０側に突出した筒状部３２が一体成型されている。この筒状部３２を通して、各指針２２Ａ、２２Ｂ、２２Ｃが取り付けられる回転軸としての四番車４２、二番車４１、筒車４０が文字板２０上に突出している。また、筒状部３２の外周側には、文字板２０の挿通孔としての中心孔２１が嵌め込まれている。
なお、太陽発電を利用した電子時計の制御回路、ステッピングモーター、駆動輪列については、すでに知られた構成であるため、ここでの説明を省略する。
【００１７】
図２（Ａ）には、文字板２０に設けられた中心孔２１が示されている。図２（Ｂ）は地板３１の筒状部３２を示す平面図であり、図１のII−II矢印断面図である。
中心孔２１および筒状部３２の平面形状は共に円形であり、筒状部３２の外周に対して中心孔２１が挿通されることで、文字板２０がムーブメント３０に固定される。この際、筒状部３２の外径寸法は、中心孔２１の内径寸法よりわずかに大きく（１／１００ｍｍ程度大きい）、所定の締め代をもって固定される。
【００１８】
また、図示を省略するが、文字板２０の外周縁には、切欠等の係合部を設け、この係合部をケースに設けられた突起等の被係合部に係合させることでケースに対して周方向の位置決めが行われる。ただし、このような係合部や被係合部は、位置決め用であり、固定には何ら関与しないため、従来のような固定用の係合部や被係合部よりも小さく、それらを隠すためのかぶさり部分は非常に小さいものとなる。
【００１９】
本実施形態では以下のような効果がある。
時計１では、文字板２０が中央の中心孔２１により固定されていることから、文字板２０の外周縁やケースには、位置決めのための係合部および被係合部を設ければよく、それらの係合部や被係合部を小さくすることができ、それらを隠すためのケースのかぶさり部分を小さくできて、デザイン性を向上させることができる。
【００２０】
文字板２０の中心孔２１がムーブメント３０に設けられた筒状部３２に嵌合されることから、嵌合時には筒状部３２で文字板２０をガイドでき、組み込みを容易にできる。
そして、文字板２０は筒状部３２に対して締め代を持って嵌合固定されていることから、文字板２０を筒状部３２に簡単な構造で確実に固定できる。
【００２１】
以下には、図３（Ａ）〜図７（Ａ）に基づいて文字板２０に設けられる中心孔２１の変形例について説明し、図３（Ｂ）〜図７（Ｂ）に基づいてそれら中心孔２１が所定の締め代をもってはめ込まれる筒状部３２の変形例について説明する。
【００２２】
図３（Ａ）、（Ｂ）において、中心孔２１の内周の一部には、文字板２０側での位置決め部としての角型の係合部２１Ａが外方に切り欠かれて設けられ、筒状部３２の外周には、係合部２１Ａに係合されるムーブメント３０側での位置決め部としての被係合部３２Ａが突設されている（第一変形例）。
図４（Ａ）、（Ｂ）において、中心孔２１の径方向に対向した位置には、一対の係合部２１Ａが設けられ、筒状部３２にも、一対の被係合部３２Ａが設けられている（第二変形例）。
【００２３】
図５（Ａ）、（Ｂ）では、中心孔２１には、略三角形状の係合部２１Ｂが中央に向けて突設され、筒状部３２には、先端側から基端側に向けて連続したスリット３２Ｂが設けられている（第三変形例）。
図６（Ａ）、（Ｂ）において、中心孔２１には、図５と同形状の係合部２１Ｂが、径方向に対向した位置に一対設けられ、同様に筒状部３２にも、図５と同形状のスリット３２Ｂが一対設けられている（第四変形例）。
【００２４】
図７（Ａ）、（Ｂ）において、中心孔２１は、図５と同形状の係合部２１Ｂを備え、筒状部３２には、係合部２１Ｂと同形状に窪んだ被係合部３２Ｃが設けられている（第五変形例）。
【００２５】
以上の変形例によれば、文字板２０の位置決めを中心孔２１に設けられた各係合部２１Ａ、２１Ｂと筒状部３２に設けられた各被係合部３２Ａ、３２Ｂとの係合により行うことで、位置決めおよび固定を時計１の中央である中心孔２１周りで行うことができ、文字板２０の外周縁に位置決め部分を設ける必要がない。これにより、文字板２０の周方向の位置決めを良好にできるとともに、ケースとのかぶさり部分を一層小さくでき、デザイン性がさらに向上する。
【００２６】
また、中心孔２１の変形例としては、図８、９に示す形状のものであってもよい。
中心孔２１として、図８に示すように係合部２１Ｃが中心孔２１から外方に向けて略三角形状に切り欠かれていてもよいし（第六変形例）、図９に示すように係合部２１Ｄが中心孔２１に対して内方に向けて突出していてもよい（第七変形例）。
【００２７】
〔第二実施形態〕
以下、本発明の第二実施形態を図１０に基づいて説明する。
本実施形態の基本的構成は第一実施形態と同様であるが、第一実施形態では、地板３１に筒状部３２が一体成型されていたのに対して、本実施形態では、別体の金属製の筒状部材３３が用いられている。
【００２８】
本実施形態の筒状部材３３の高さ寸法は、文字板２０の板厚寸法と地板３１の板厚寸法とを合わせた大きさにほぼ等しい。この筒状部材３３は、例えば地板３１に対してあらかじめはめ込まれ、地板３１に対向するように文字板２０の中心孔２１がはめ込まれる。この時、筒状部材３３の外径寸法は、文字板２０の中心孔２１および地板３１の開口部としての中心孔３４の内径寸法よりわずかに大きく、所定の締め代をもって固定される。
なお、本実施形態での中心孔２１、３２および筒状部材３３に対し、図３から図９のような係合部２１Ａ、２１Ｂ、２１Ｃ、２１Ｄおよび被係合部３２Ａ、３２Ｂ、３２Ｃを設けてもよい。
【００２９】
このような第二実施形態によれば前述の第一実施形態の効果に加えて次のような効果を奏する。
筒状部材３３は地板３１とは文字板２０のガラス板２０Ａに対して別体に形成されていることから、これらを別々の材質で形成することができる。例えば、地板３１を、合成樹脂で形成し、筒状部材３３を金属で形成することができる。また、筒状部材３３が金属製であることから、文字板２０上の表示部分に金属部分を露出させることができ、装飾性が向上する。
【００３０】
〔第三実施形態〕
以下、本発明の第三実施形態を図面に基づいて説明する。
本実施形態の基本的構成は第二実施形態と同様であるが、本実施形態において、筒状部材３３には、径方向の外方に突出した鍔部３３Ａが設けられている。
【００３１】
このような筒状部材３３は、ムーブメント３０と文字板２０とが積層された後、文字板２０側から打ち込まれている。このとき、鍔部３３Ａの裏面に設けられた当接面３３Ｂとガラス板２０Ａが当接することで、筒状部材３３が打ち込み方向に位置決めされる。このような筒状部材３３でも、筒状部分の外径寸法が文字板２０の中心孔２１および地板３１の中心孔３４の内径寸法よりわずかに大きく、筒状部材３３全体が所定の締め代をもって固定される。
【００３２】
このような第三実施形態によれば、当接面３３Ｂがガラス板２０Ａに当接されることで、打ち込み方向の位置決めを容易に行うことができる。また、筒状部材３３には鍔部３３Ａが設けられ、文字板２０上に露出する金属が増えるため、より高級感が得られる。
【００３３】
本発明を実施するための最良の構成、方法等は、以上の記載で開示されているが、本発明は、これに限定されるものではなく、本発明の目的を達成できる範囲での種々の変更は本発明に含まれる。
例えば、前述された各実施形態での筒状部３２、筒状部材３３は全て円形の形状をしていたが、四角形などの多角形の形状あるいは楕円形状をしていてもよい。このように、異形の形状を採用する場合には、特に位置決め部を設けなくとも文字板２０の周方向への位置ずれを防止できるというメリットがある。
また、第一実施形態では、地板３１に筒状部３２が設けられていたが、文字板２０に設けられていてもよい。この場合、地板３１には、文字板２０側の筒状部が嵌合固定される開口部が設けられる。
【００３４】
さらに、前記各実施形態では、本発明に係る挿通孔が文字板２０の中心に設けられていたが、複数の小針が設けられる多機能時計において、小針が取り付けられる回転軸用の挿通孔を利用して文字板２０を固定してもよい。このような場合でも、文字板の固定が表示部の回転軸用の挿通孔で行われることになるから、外周部分のかぶさり部分を小さくでき、本発明の目的を達成できる。
【符号の説明】
【００３５】
１…時計、２０…文字板、２１…挿通孔である中心孔、２１Ａ、２１Ｂ、２１Ｃ、２１Ｄ…位置決め部である係合部、２２Ａ、２２Ｂ、２２Ｃ…指針、３０…ムーブメント、３２…筒状部、３２Ａ、３２Ｂ、３２Ｃ…位置決め部である被係合部、３３…筒状部材、３４…開口部である中心孔、４０…回転軸である筒車。
【図１】
2010243319.tif 000003
【図２】
2010243319.tif 000004
【図３】
2010243319.tif 000005
【図４】
2010243319.tif 000006
【図５】
2010243319.tif 000007
【図６】
2010243319.tif 000008
【図７】
2010243319.tif 000009
【図８】
2010243319.tif 000010
【図９】
2010243319.tif 000011
【図１０】
2010243319.tif 000012
【図１１】
2010243319.tif 000013